(57)【要約】【課題】自身を制御する制御部が着脱可能に接続される撮像装置において、自由度の高い撮影スタイルを実現することができるようにする。【解決手段】自身を制御する制御部３０が着脱可能に接続される撮像装置１０であって、着脱可能とする着脱機構２０に、自身を所定の設置場所に固定するための形状部２６を設ける。さらに、着脱機構２０に、自身を制御部３０に固定させるための形状部２５を設ける。そして、着脱機構２０には自身が制御部３０に対し折り畳み可能とする回動機構２１が備えられ、着脱機構２０により自身と制御部３０とが接続された状態で、自身の撮像方向が、回動機構２１により制御部３０が位置する方向に対し反対側に来るように重なる。【選択図】図１
2016039472.tif 000002
【特許請求の範囲】
【請求項１】
自身を制御する制御部が着脱可能に接続される撮像装置であって、
前記着脱可能とする着脱機構に、自身を所定の設置場所に固定するための形状部を設けたことを特徴とする撮像装置。
【請求項２】
前記着脱機構に、自身を前記制御部に固定させるための形状部を設けたことを特徴とする請求項１に記載の撮像装置。
【請求項３】
前記着脱機構には、自身が前記制御部に対し折り畳み可能とする回動機構が備えられ、
前記着脱機構により、自身と制御部とが接続された状態で、自身の撮像方向が、前記回動機構により前記制御部が位置する方向に対し反対側に来るように重なることを特徴とする請求項１または２に記載の撮像装置。
【請求項４】
前記着脱機構は、自身に対しレンズ周囲の箇所で固定するための固定機構を備え、
前記固定機構は撮影を補助するための補助部材を備えることを特徴とする請求項１から３のいずれか一項に記載の撮像装置。
【請求項５】
前記補助部材とは外部装置と固定するためのアンカーであることを特徴とする請求項４に記載の撮像装置。
【請求項６】
前記補助部材とは被写体を照明するための照明部材であることを特徴とする請求項４に記載の撮像装置。
【請求項７】
前記補助部材とは光学的特殊効果を付与するためのレンズであることを特徴とする請求項４に記載の撮像装置。
【請求項８】
前記補助部材とはハーフミラーであることを特徴とする請求項４に記載の撮像装置。
【請求項９】
前記補助部材とはレンズフィルターを装着するための雌ネジ構造であることを特徴とする請求項４に記載の撮像装置。
【請求項１０】
前記補助部材とは近接撮影用の部材であることを特徴とする請求項４に記載の撮像装置。
【請求項１１】
前記補助部材とは撮像光軸を明示させるための光照射機構であることを特徴とする請求項４に記載の撮像装置。
【発明の詳細な説明】
【技術分野】
【０００１】
本発明は、自身を制御する制御部と着脱可能に接続される撮像装置に関する。
【背景技術】
【０００２】
従来より、カメラ付き携帯電話のように、折り畳みのための構造を有する撮像装置が存在する。このような撮像装置においては、特許文献１に記載されるように、電話機本体と、その電話機本体に着脱可能且つ折り畳み可能に設けられたカメラを備える折り畳みユニットが考案されている。
【先行技術文献】
【特許文献】
【０００３】
【特許文献１】特開２００２−２３７８８０号公報
【発明の概要】
【発明が解決しようとする課題】
【０００４】
しかしながら、特許文献１の開示技術の場合、撮影に際しては撮影者が把持して撮影することが前提とされているため、安定した場所に置いて撮影することは想定されていないので、使い勝手において問題が生じるケースがあった。
【０００５】
本発明の課題は、自身を制御する制御部が着脱可能に接続される撮像装置において、自由度の高い撮影スタイルを実現することができるようにすることである。
【課題を解決するための手段】
【０００６】
以上の課題を解決するため、本発明は、
自身を制御する制御部が着脱可能に接続される撮像装置であって、
前記着脱可能とする着脱機構に、自身を所定の設置場所に固定するための形状部を設けたことを特徴とする。
【発明の効果】
【０００７】
本発明によれば、自由度の高い撮影スタイルを実現することができる。
【図面の簡単な説明】
【０００８】
【図１】本発明を適用した撮像装置の一実施形態の構成を示すもので、撮像部と制御部の接続状態をレンズ部及び表示部側から見た斜視図（ａ）と、その裏面側から見た図（ｂ）である。
【図２】図１の撮像装置の正面図（ａ）、背面図（ｂ）、一側面図（ｃ）、他側面図（ｄ）、平面図（ｅ）、及び底面図（ｆ）である。
【図３】図１の撮像部と制御部を折り畳んで重ねた状態をレンズ部側から見た斜視図（ａ）と、その裏面の表示部側から見た図（ｂ）である。
【図４】図１の制御部を外して撮像部と着脱機構をレンズ部側から見た斜視図（ａ）と、その裏面側から見た図（ｂ）である。
【図５】図４の撮像部及び着脱機構の正面図（ａ）、背面図（ｂ）、側面図（ｃ）、及び底面図（ｄ）である。
【図６】図１の撮像部と制御部を回動させた状態の側面図（ａ）と、撮像部と制御部の接続を解除操作した時の正面図（ｂ）である。
【図７】着脱機構のリング状カバー部分に撮影を補助するための補助部材を付加して機能のバリエーション展開を示した斜視図（ａ）〜（ｆ）、側面図（ｇ）、及び斜視図（ｈ）である。
【発明を実施するための形態】
【０００９】
以下、図を参照して本発明を実施するための形態を詳細に説明する。
【００１０】
（実施形態）
図１（ａ）及び（ｂ）は本発明を適用した撮像装置の一実施形態の構成として撮像部１０と制御部３０の接続状態を示すもので、図２（ａ）〜（ｆ）はその撮像装置の六面図、図３（ａ）及び（ｂ）は撮像部１０と制御部３０を折り畳んで重ねた状態を示したものであり、１１はレンズ部、２０は着脱機構、２１は回動機構、３１は表示部である。
【００１１】
図示のように、撮像装置は、レンズ部１１を一面側に備える撮像部１０であり、制御装置として表示部３１を一面側に備える制御部３０が、この撮像部１０と着脱機構２０を介して着脱可能に接続されている。そして、その着脱機構２０による撮像部１０と制御部３０の接続状態において、着脱機構２０に備えられた回動機構であるヒンジ結合部２１によって、撮像部１０と制御部３０が回動可能となっている。
【００１２】
撮像部１０は、略円盤形状で、その一面側にレンズ部１１と、そのレンズ部１１を囲む、レンズ部１１を保護するためのプロテクタ１２が設けられている。
また、撮像部１０には、外周壁に沿って電源ボタン１３、シャッターボタン１４、動画開始／終了ボタン１５、接続解除ボタン１６が設けられている。
なお、撮像部１０の筐体は、レンズ部１１を備える側と周壁部が樹脂ケースで、その反対側が金属ケースであり、レンズ部１１の周囲にアンテナ（図示せず）が内蔵されている。
【００１３】
制御部３０は、略矩形箱状で、その一方の短辺部に着脱用スリット３２が形成されて、他方の短辺部にカラビナ等のアタッチメント用スリット３３が形成されている。
また、制御部３０には、一方の長辺部に電源ボタン３４、シャッターボタン３５、動画開始／終了ボタン３６が設けられて、他方の長辺部に接続解除ボタン３７が設けられている。
【００１４】
以上の撮像部１０と制御部３０は無線通信で接続される。
【００１５】
図４（ａ）及び（ｂ）は制御部３０を外して撮像部１０と着脱機構２０を示すもので、
図５（ａ）〜（ｄ）はその四面図であり、２２はリング状カバー、２３は金属プレートである。
【００１６】
図示のように、着脱機構２０は、ヒンジ結合部２１により樹脂製のリング状カバー２２と金属プレート２３を折り畳み可能に結合したもので、リング状カバー２２が撮像部１０のレンズ部１１側の周囲に着脱可能となっていて、金属プレート２３が制御部３０の着脱用スリット３２に挿入可能となっている。
【００１７】
ここで、着脱機構２０のヒンジ結合部２１は、リング状カバー２２と金属プレート２３を回動させて開いて１８０°の両端でロックが掛かり、その状態を保持する。
【００１８】
そして、着脱機構２０のリング状カバー２２は、図示しない複数本の爪とストッパーによってロック可能なバヨネット式結合による固定機構で撮像部１０と接合され、リング状カバー２２と撮像部１０を回転することにより撮像部１０の脱着が行える。
また、撮像部１０とリング状カバー２２の接合後は、撮像部１０内に設けられた図示しないピンによってロックが掛かり、不用意な脱落防止とレンズ画角（縦横位置）の固定が行える。
そのロックは、撮像部１０の接続解除ボタン１６を押すことで解除され、リング状カバー２２から撮像部１０を切り離すことができる。
【００１９】
また、着脱機構２０の金属プレート２３には、片側の根元寄り部に幅広な段差部２４が形成されて、制御部３０の着脱用スリット３２に対する逆差しが防止される。
そして、金属プレート２３の根元部には、制御部３０に固定させるための形状部として横長形状の固定用スリット２５が形成されている。
【００２０】
以上の金属プレート２３は、制御部３０の着脱用スリット３２に差し込む。これにより、金属プレート２３は、横長形状の固定用スリット２５において、制御部３０内に設けられた図示しないロック機能により固定されて、制御部３０からの脱落が防止される。
そのロックは、制御部３０の接続解除ボタン３７を押すことで、解除され、図６（ｂ）に示すように、金属プレート２３から制御部３０を切り離すことができる。
【００２１】
さらに、金属プレート２３には、撮像部１０を所定の設置場所（例えば三脚）に固定するための形状部として縦長形状の三脚固定用穴２６が形成されている。
なお、このような三脚に固定するための形状部２６と、制御部３０に固定させるための形状部２５は、同一の穴またはスリットであっても、別の穴やスリット等であってもよい。
【００２２】
また、着脱機構２０のヒンジ結合部２１の両端部には、首からぶら下げるための紐を通す紐通しリング２７が設けられている。
【００２３】
以上の撮像部１０と制御部３０の着脱機構２０による接合状態において、図１及び図２に示すように、撮像部１０と制御部３０のストレート状態では、レンズ部１１と表示部３１が同一面となり、自分撮りに適した状態となる。
【００２４】
そして、例えば図６（ａ）に示すように、ヒンジ結合部２１により撮像部１０と制御部３０を任意の角度に回動させることができる。
特に、撮像部１０と制御部３０を１８０°回転させた場合、図３に示すように、レンズ部１１と表示部３１が逆向きとなり、一般的に用いられるカメラとしての操作を実現させることができる。
【００２５】
また、図４及び図５に示すように、制御部３０を外した撮像部１０は、一体化した着脱機構２０の金属プレート２３がスタンドとなり、ヒンジ結合部２１により任意の仰角で開いた状態で置いて撮影が可能となる。
【００２６】
次に、着脱機構２０のリング状カバー２２による効果を列挙する。
１）略円盤形状の撮像部１０に対しその上面に装着したリング状カバー２２で確実にグリップできるスペースを確保できる。これにより、金属プレート２３を制御部３０の着脱用スリット３２に対し抜き差しする時において、略円盤形状の撮像部１０の上面に装着したリング状カバー２２をグリップできるので、撮像部１０に触る必要がない。
２）略円盤形状の撮像部１０の上面にリング状カバー２２を装着したので、構造的に撮像部１０の強度アップにつながる。
３）撮像部１０の上面側でリング状カバー２２を接合するため、撮像部１０の外径サイズに影響しない。
４）ヒンジ結合部２１の両端に紐通しリング２７を設置できる。
５）接合部品である金属プレート２３がスタンドとなり、撮像部１０を任意の角度に置いて撮影ができる。
６）撮像部１０とリング状カバー２２のバヨネット式結合部を利用し、レンズ部１１の向きを９０°切替えることが可能である。
７）撮像部１０のレンズ部１１周囲に画角のインジケータを設置すれば、リング状カバー２２に対する撮像部１０の回転角度を認識できる。
８）撮像部１０を保持するリング状カバー２２は樹脂製であり、軽量化と、撮像部１０上面のアンテナ感度低下防止を実現できる。
【００２７】
以上、実施形態によれば、撮像部１０と制御部３０を着脱可能とする着脱機構２０に、撮像部１０を三脚に固定するための形状部２６を設けたので、制御部３０から外して撮像部１０を三脚に固定して使用することができる。
【００２８】
（変形例）
着脱機構２０は、そのリング状カバー２２を撮像部１０に前面側からマウントする方式のため、リング状カバー２２部分に撮影を補助するための補助部材を付加して機能のバリエーション展開ができる。
【００２９】
図７（ａ）〜（ｈ）は着脱機構２０のリング状カバー２２部分に撮影を補助するための補助部材を付加して機能のバリエーション展開を示したものである。
【００３０】
すなわち、図７（ａ）は、リング状カバー２２の周囲に複数（図示例では放射状に四個）の突出部４１を形成して、その突出部４１にアンカー穴４２を形成したものである。
このリング状カバー２２周囲の複数（図示例では放射状に四個）のアンカー穴４２を利用して、例えば撮像部１０を棒状の突起物に引っ掛けて固定することができる。
【００３１】
図７（ｂ）は、リング状カバー２２の前面に、被写体を照明するための照明部材として、多数のＬＥＤライト４４付きのリング部材４３を重ねて固定したものである。
この図７（ｂ）のリング状カバー２２のヒンジ結合部２１には、ＬＥＤライト４４を発光させるための電源が内蔵されており、スライド型のスイッチ４４１へのスライド操作を検出することで、発光／非発光を切り換え制御する。なお、このリング状カバー２２上のリング部材４３に設けた多数のＬＥＤライト４４の発光は、例えばＡＦ（オートフォーカス）補助光として使用することもできる。
【００３２】
図７（ｃ）は、リング状カバー２２の前面に、光学的特殊効果を付与するためのレンズとして、例えばフィッシュアイ（魚眼）レンズ４５を固定したものである。
このリング状カバー２２に設けたフィッシュアイレンズ４５を用いた特殊撮影が可能となる。
【００３３】
図７（ｄ）は、リング状カバー２２の前面に、自分撮り用のハーフミラー４６を固定したものである。
このリング状カバー２２に設けたハーフミラー４６を見て自分撮りすることができる。
【００３４】
図７（ｅ）は、リング状カバー２２の前面に、レンズフィルター４９を装着するための雌ネジ構造を有するリング部材４７を固定したものである。
このリング状カバー２２に設けたリング部材４７に、汎用のレンズフィルター４９を備えるリング状アタッチメント４８をネジ込んで装着することができる。
【００３５】
図７（ｆ）は、リング状カバー２２の内部に、近接撮影用の部材として、中央にマクロレンズ５２を備えて周囲に複数（図示例では放射状に四個）のＬＥＤライト５３を設けたディスク部材５１を固定したものである。このディスク部材５１の前面にはフード５４が備えられている。
【００３６】
図７（ｇ）は、図７（ｆ）のリング状カバー２２に設けたフード５４を被写体に向かい下にして置いた状態を示したもので、図７（ｆ）のリング状カバー２２に設けたマクロレンズ５２により近接撮影することができる。
その場合、マクロレンズ５２の周囲のＬＥＤライト５３を発光させて被写体に照射して近接撮影することができる。
【００３７】
図７（ｈ）は、リング状カバー２２の前面に、撮像光軸を明示させるための光照射機構として、複数（図示例では直径方向に対向する二個）のレーザーポインター５５を設けたものである。
このリング状カバー２２に設けた複数（図示例では直径方向に対向する二個）のレーザーポインター５５により遠くの被写体に光を照射することで、撮像光軸を明示させて撮影することができる。
【００３８】
（他の変形例）
以上の実施形態においては、略円盤形状の撮像部と略矩形箱状の制御部としたが、本発明はこれに限定されるものではなく、撮像部及び制御の形状や構成はどのようなものであってもよい。
また、着脱機構の形状や構成、回動機構や固定機構の構成、及び各固定形状部の形状等も任意であり、その他、具体的な細部構造等についても適宜に変更可能であることは勿論である。
【００３９】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
自身を制御する制御部が着脱可能に接続される撮像装置であって、
前記着脱可能とする着脱機構に、自身を所定の設置場所に固定するための形状部を設けたことを特徴とする撮像装置。
＜請求項２＞
前記着脱機構に、自身を前記制御部に固定させるための形状部を設けたことを特徴とする請求項１に記載の撮像装置。
＜請求項３＞
前記着脱機構には、自身が前記制御部に対し折り畳み可能とする回動機構が備えられ、
前記着脱機構により、自身と制御部とが接続された状態で、自身の撮像方向が、前記回動機構により前記制御部が位置する方向に対し反対側に来るように重なることを特徴とする請求項１または２に記載の撮像装置。
＜請求項４＞
前記着脱機構は、自身に対しレンズ周囲の箇所で固定するための固定機構を備え、
前記固定機構は撮影を補助するための補助部材を備えることを特徴とする請求項１から３のいずれか一項に記載の撮像装置。
＜請求項５＞
前記補助部材とは外部装置と固定するためのアンカーであることを特徴とする請求項４に記載の撮像装置。
＜請求項６＞
前記補助部材とは被写体を照明するための照明部材であることを特徴とする請求項４に記載の撮像装置。
＜請求項７＞
前記補助部材とは光学的特殊効果を付与するためのレンズであることを特徴とする請求項４に記載の撮像装置。
＜請求項８＞
前記補助部材とはハーフミラーであることを特徴とする請求項４に記載の撮像装置。
＜請求項９＞
前記補助部材とはレンズフィルターを装着するための雌ネジ構造であることを特徴とする請求項４に記載の撮像装置。
＜請求項１０＞
前記補助部材とは近接撮影用の部材であることを特徴とする請求項４に記載の撮像装置。
＜請求項１１＞
前記補助部材とは撮像光軸を明示させるための光照射機構であることを特徴とする請求項４に記載の撮像装置。
【符号の説明】
【００４０】
１０  撮像部
１１  レンズ部
１２  プロテクタ
１３  電源ボタン
１４  シャッターボタン
１５  動画開始／終了ボタン
１６  接続解除ボタン
２０  着脱機構
２１  ヒンジ結合部
２２  リング状カバー
２３  金属プレート
２４  段差部
２５  固定用スリット
２６  固定用穴
２７  紐通しリング
３０  制御部
３１  表示部
３２  着脱用スリット
３３  アタッチメント用スリット
３４  電源ボタン
３５  シャッターボタン
３６  動画開始／終了ボタン
３７  接続解除ボタン
４１  突出部
４２  アンカー
４３  リング部材
４４  ＬＥＤライト（照明部材）
４５  フィッシュアイレンズ
４６  ハーフミラー
４７  リング部材
４８  アタッチメント
４９  レンズフィルター
５１  ディスク部材
５２  マクロレンズ（近接撮影用の部材）
５３  ＬＥＤライト（照明部材）
５４  フード（近接撮影用の部材）
５５  レーザーポインター（光照射機構）
【図１】
2016039472.tif 000003
【図２】
2016039472.tif 000004
【図３】
2016039472.tif 000005
【図４】
2016039472.tif 000006
【図５】
2016039472.tif 000007
【図６】
2016039472.tif 000008
【図７】
2016039472.tif 000009